(57)【特許請求の範囲】
【請求項１】
（ａ）装置本体と、
（ｂ）該装置本体に対して揺動自在に配設されたカード置き台と、
（ｃ）該カード置き台に載置されたカードのデータを読み取るデータ読取部と、
（ｄ）操作者が前記カード置き台にカードを載置するのに伴って、前記データ読取部に電力を供給する電源装置とを有するとともに、
（ｅ）該電源装置はカード置き台の回動に伴って電力を発生させることを特徴とするカード読取装置。
【請求項２】
前記請求項１に記載のカード読取装置が搭載された電子機器。
【発明の詳細な説明】
【技術分野】
【０００１】
本発明は、カード読取装置及び電子機器に関するものである。
【背景技術】
【０００２】
従来、磁気ストライプに各種のデータが記録された磁気カード、ＩＣチップに各種のデータが記録されたＩＣカード等のカードが提供され、該カードに記録されたデータは、カード読取装置によって読み取られるようになっている。
【０００３】
ところで、非接触式のカードにおいては、データ読取部にカードを接触させることなく、データが読み取られる。そのために、前記カード読取装置は、カード検出回路を備え、該カード検出回路においてカードが検出されると、データ読取部によるデータの読取りを行うようになっている（例えば、特許文献１参照。）。
【特許文献１】特開２００３−２２３６１９号公報
【発明の開示】
【発明が解決しようとする課題】
【０００４】
しかしながら、前記従来のカード読取装置においては、カードを検出するために電源を常時オンにしておく必要があるので、消費電力を少なくすることができない。
【０００５】
本発明は、前記従来のカード読取装置の問題点を解決して、消費電力を少なくすることができるカード読取装置及び電子機器を提供することを目的とする。
【課題を解決するための手段】
【０００６】
そのために、本発明のカード読取装置においては、装置本体と、該装置本体に対して揺動自在に配設されたカード置き台と、該カード置き台に載置されたカードのデータを読み取るデータ読取部と、操作者が前記カード置き台にカードを載置するのに伴って、前記データ読取部に電力を供給する電源装置とを有する。
そして、該電源装置はカード置き台の回動に伴って電力を発生させる。
【発明の効果】
【０００７】
本発明によれば、カード読取装置においては、装置本体と、該装置本体に対して揺動自在に配設されたカード置き台と、該カード置き台に載置されたカードのデータを読み取るデータ読取部と、操作者が前記カード置き台にカードを載置するのに伴って、前記データ読取部に電力を供給する電源装置とを有する。
そして、該電源装置はカード置き台の回動に伴って電力を発生させる。
【０００８】
この場合、操作者がカード置き台にカードを載置すると、電源装置がデータ読取部に電力を供給するので、カードを検出するために電源を常時オンにしておく必要がない。したがって、消費電力を少なくすることができる。
【発明を実施するための最良の形態】
【０００９】
以下、本発明の実施の形態について図面を参照しながら詳細に説明する。
【００１０】
図１は本発明の第１の実施の形態におけるカード読取装置の断面図、図２は本発明の第１の実施の形態におけるカード読取装置の外観図、図３は本発明の第１の実施の形態におけるギヤユニットの概念図である。
【００１１】
図において、１１は電子機器としてのカード読取装置であり、該カード読取装置１１は、上端に開口を備えた箱状体から成るベース１３、及び上端に開口を備えた逆箱状体から成り、前記ベース１３を覆うカバー１２を備える。該カバー１２は、図示されないカードを載置するためのカード置き台として機能するとともに、ベース１３の上端の所定の箇所に形成された揺動中心としてのカバー支点２０を中心にして揺動自在に支持される。
【００１２】
前記ベース１３の開口の上縁ｅｇ１は、カバー支点２０が形成された箇所が最も高くされ、カバー支点２０から離れるほど低くなるように傾斜させられる。そして、前記カバー支点２０の近傍において、カバー１２とベース１３との間に付勢部材としての板ばね２１が配設され、該板ばね２１は所定の付勢力でカバー１２を持ち上げ、カバー１２の上面、すなわち、カードの載置面Ｓａをほぼ水平に維持する。したがって、前記上縁ｅｇ１とカバー１２の下面、すなわち、底面Ｓｂとの間に、カバー１２が、所定の角度だけ揺動することができるように揺動代が形成される。
【００１３】
また、前記ベース１３内に電力発生装置ｕ１が配設される。該電力発生装置ｕ１は、弧状の形状を有し、カバー１２の底面Ｓｂに取り付けられ、底面Ｓｂから垂下させられたギヤ１４、円形の形状を有し、ベース１３内において回転自在に配設されたギヤ１５〜１８、発電機１９等を有する。
【００１４】
前記ギヤ１４は、プレートから成り、内周面に図示されない歯が形成される。該歯は、カバー支点２０を中心とする円の一部を構成する弧を描くように形成される。また、前記ギヤ１６、１７は同一軸上において相対的に回転自在に配設されてギヤユニットを構成し、ギヤ１８は発電機１９の軸に取り付けられる。前記ギヤ１５〜１８は、各外周面に図示されない歯が形成され、ギヤ１５、１７はほぼ同じ径を有し、ギヤ１６、１８は、ギヤ１５、１７の径より大きく、ほぼ同じ径を有する。そして、ギヤ１４とギヤ１５とが噛合させられ、ギヤ１５とギヤ１６とが噛合させられ、ギヤ１７とギヤ１８とが噛合させられる。
【００１５】
ところで、前記ギヤ１６、１７から成るギヤユニットは、ワンウェイクラッチの構造を有し、図１に示されるように、ギヤ１６を反時計回り（第１の回転方向）に回転させると、ギア１６がロックされ、ギヤ１７に回転が伝達されるが、ギヤ１６を停止させた状態でギヤ１７を反時計回りに回転させると、フリーになり、ギヤ１６に回転は伝達されない。また、ギヤ１６を時計回り（第２の回転方向）に回転させたときも、ギヤユニットはフリーになり、ギヤ１７に回転は伝達されない。
【００１６】
そのために、前記ギヤ１７は、第１の回転体２４、該第１の回転体２４内において相対的に回転自在に配設された第２の回転体２５、及び第１、第２の回転体２４、２５間に配設された複数の係止具２６を備え、前記第２の回転体２５は、ギヤ１６と一体的に形成され、同一軸上に配設される。前記第１の回転体２４の内周面には、円周方向に複数の三角形の形状を有する係止溝ｋが形成され、該各係止溝ｋは、第２の回転体２５の外周面に対して直角に延びる第１の面ｍ１、及び第２の回転体２５の外周面に対して接線方向に延びる第２の面ｍ２を有する。また、前記係止具２６は、第２の回転体２５の円周方向において等ピッチで、かつ、第２の回転体２５に対して揺動自在に配設され、先端に、前記係止溝ｋと対応する三角形の形状を有する係止部２６ａを備える。
【００１７】
そして、前記第２の回転体２５を図３における反時計回りに回転させると、前記各係止具２６が立ち上げられ、係止部２６ａと係止溝ｋとが係止させられ、ギヤユニットがロックされ、第１の回転体２４が図３における反時計回りに回転させられる。これに対して、第２の回転体２５を停止させた状態で第１の回転体２４を図３における反時計回りに回転させると、前記各係止具２６が接線方向に向けられ、係止部２６ａと係止溝ｋとの係止が解除され、ギヤユニットはフリーになり、第２の回転体２５は回転しない。また、該第２の回転体２５が図３における時計回りに回転すると、前記各係止具２６が接線方向に向けられ、係止部２６ａと係止溝ｋとの係止が解除され、ギヤユニットはフリーになり、第１の回転体２４に回転は伝達されない。
【００１８】
操作者によって前記カバー１２が下方に押下され、回動させられると、ギヤ１４がカバー支点２０を中心に矢印ａ方向に回動させられ、ギヤ１５を矢印ｂ方向に回転させる。それに伴って、ギヤ１６が矢印ｃ方向に回転させられ、ギヤユニットがロックされ、ギヤ１７が矢印ｄ方向に回転させられる。その結果、ギヤ１８が矢印ｅ方向に回転させられ、発電機１９において発電が行われる。
【００１９】
前記カバー１２の押下をやめると、板ばね２１の付勢力によってカバー１２が持ち上げられ、逆方向に回動させられ、ギヤ１４がカバー支点２０を中心に矢印ｆ方向に回動させられ、ギヤ１５が矢印ｇ方向に回転させられる。それに伴って、ギヤ１６が矢印ｈ方向に回転させられるが、ギヤユニットがフリーになるので、ギヤ１７に回転は伝達されない。
【００２０】
次に、前記構成のカード読取装置１１の動作について説明する。
【００２１】
図４は本発明の第１の実施の形態におけるカード読取装置の動作を示す第１の図、図５は本発明の第１の実施の形態におけるカード読取装置の動作を示す第２の図、図６は本発明の第１の実施の形態におけるカード読取装置の動作を示す第３の図である。
【００２２】
まず、図４に示された状態のカード読取装置１１において、カバー１２に図示されないカードが載置されると、カバー１２が押下され、回動させられて図５に示される状態になる。このとき、ギヤ１４がカバー支点２０を中心に矢印ａ方向に回動させられ、ギヤ１５を矢印ｂ方向に回転させる。それに伴って、ギヤ１６が矢印ｃ方向に回転させられ、ギヤユニットがロックされ、ギヤ１７が矢印ｄ方向に回転させられる。その結果、ギヤ１８が矢印ｅ方向に回転させられ、発電機１９において発電が行われる。
【００２３】
なお、カバー１２を押下したまま、所定の位置に置くと、ギヤ１７は慣性によって回転を続けようとするが、ギヤ１５の停止に伴ってギヤ１６及び第２の回転体２５が停止させられる。このとき、ギヤユニットはフリーになるので、第１の回転体２４はしばらくの間、回転を続け、ギヤ１８も回転を続ける。したがって、カバー１２を押下したままの状態で、しばらくの間、発電が行われる。
【００２４】
また、カバー１２の押下をやめると、板ばね２１の付勢力によってカバー１２が持ち上げられ、逆方向に回動させられ、カバー１２は図６に示される状態になる。これに伴って、ギヤ１４がカバー支点２０を中心に矢印ｆ方向に回転させられ、ギヤ１５を矢印ｇ方向に回転させる。それに伴って、ギヤ１６が矢印ｈ方向に回転させられるが、ギヤユニットがフリーになり、ギヤ１７に回転は伝達されない。そして、第１の回転体２４が回転を続けている間、ギヤ１８も回転を続ける。したがって、カバー１２の押下をやめても、しばらくの間、発電を行うことができる。
【００２５】
次に、前記カード読取装置１１、及びカード読取装置１１に接続されたプリンタから成る複合機について説明する。
【００２６】
図７は本発明の第１の実施の形態における複合機を説明するブロック図、図８は本発明の第１の実施の形態におけるカード読取装置を説明するブロック図である。
【００２７】
図７に示されるように、カード読取装置１１は、電源装置としての電力発生部３１、データ処理部としてのデータ読取部３２及び通信部３３を有し、前記電力発生部３１は、操作者が前記カバー１２にカードｃｄ（本実施の形態においては、非接触ＩＣカード）を載置するのに伴って、前記データ読取部３２に電力を供給する。そのために、前記電力発生部３１は、カードｃｄが載置されるのに伴って、カバー１２が押下されると、発電機１９において発生させられた電力を、データ読取部３２及び通信部３３に供給する。
【００２８】
また、前記データ読取部３２は、カードｃｄの図示されないＩＣチップに記録されたデータ（カードデータ）を読み取り、該データ、すなわち、読取データを通信部３３に送る。なお、必要に応じて、前記データ読取部３２をデータ読取・書込部として機能させ、データの読取りのほかに書込みを行うことができる。また、３４は、電力発生部３１から発生させられた電力をデータ読取部３２及び通信部３３に送るための配線（電力線）、３５は読取データを通信部３３に送るための配線である。
【００２９】
そして、４１は、配線（通信線）４８を介してカード読取装置１１と接続され、カード読取装置１１から受信した読取データに基づいて印刷を行う外部装置としてのプリンタであり、該プリンタ４１は、ネットワーク４７を介して印刷用のデータ、すなわち、印刷データを受信するとともに、カード読取装置１１から受信した読取データ（読取情報）に適合する印刷データがある場合に印刷を行う。
【００３０】
また、プリンタ４１は、プリンタ４１の全体の制御を行う制御部としての主制御回路４５、ネットワーク４７を介して印刷指示及び印刷データを受信するネットワーク回路４２、配線４８を介してカード読取装置１１から読取データを受信し、主制御回路４５に送る通信制御回路４３、プリンタ４１の電源である電源部４４、及び印刷部４６を有する。前記主制御回路４５は、ネットワーク回路４２を介して受信した印刷データ、及び通信制御回路４３から受信した読取データに基づいて画像を形成し、印刷部４６に印刷の指示を送り、印刷部４６は、主制御回路４５の指示に従って印刷を行う。
【００３１】
また、図８において、１１はカード読取装置、３１は電力発生部、３２はデータ読取部、３３は通信部である。前記データ読取部３２及び通信部３３は、電力発生部３１によって発生させられた電力を受けて動作する。
【００３２】
前記電力発生部３１は、発電機１９、該発電機１９において発生させられた電力を整流し、直流電圧を発生させる整流回路５５、並びに図示されないキャパシタ及び逆流防止ダイオードから成り、直流電圧を一定の電圧にする平滑回路５６を備える。
【００３３】
また、前記データ読取部３２は、無線通信を行うためのアンテナ５１、送受信回路（無線用回路）５２、及び制御回路５３を備え、前記送受信回路５２は、前記アンテナ５１を使用し、制御回路５３の指示に従ってカードｃｄとの間で送受信を行う。
【００３４】
前記制御回路５３は、データ読取部３２の全体の制御を行うとともに、送受信回路５２にデータを送信したり、送受信回路５２から読取データを受信したりする。
【００３５】
次に、前記構成の複合機の動作について説明する。
【００３６】
前記発電機１９において電力が発生させられると、整流回路５５は交流電圧を整流し、直流電圧を発生させる。該直流電圧は、発電機１９の回転速度に依存しており、一定の値を採らない。そこで、平滑回路５６は、整流回路５５によって発生させられた直流電圧を一定の電圧にし、データ読取部３２に電力を供給する。
【００３７】
そして、データ読取部３２に電力が供給されると、制御回路５３は、送受信回路５２に対してカードｃｄに記録されたデータを読み取るように指示を送る。前記送受信回路５２は、制御回路５３から指示を受けると、アンテナ５１を介してカードのデータを受信し、読取データを制御回路５３に送信する。該制御回路５３は、通信部３３を介して読取データをプリンタ４１に送信する。
【００３８】
該プリンタ４１において、通信制御回路４３は、カード読取装置１１から読取データを受信すると、読取データを主制御回路４５に送る。また、ネットワーク回路４２は、ネットワーク４７を介して印刷指示を受信すると、該印刷指示を主制御回路４５に送信する。
【００３９】
該主制御回路４５は、前記読取データ及び印刷指示を受信すると、受信した印刷指示に読取データの符号と一致する符号があるかどうかを判断し、一致する符号がある場合、印刷部４６に印刷の指示を送る。
【００４０】
このように、本実施の形態においては、操作者がカバー１２にカードｃｄを載置する際に、カバー１２が押下されると、電力発生部３１において発電機１９による発電が行われ、発生させられた電力がデータ読取部３２に供給されるので、カードｃｄを検出するために図示されない電源を常時オンにしておく必要がない。したがって、カードｃｄに記録されたデータを読み取るために必要になる消費電力を少なくすることができる。
【００４１】
次に、本発明の第２の実施の形態について説明する。なお、第１の実施の形態と同じ構造を有するものについては、同じ符号を付与し、同じ構造を有することによる発明の効果については同実施の形態の効果を援用する。
【００４２】
図９は本発明の第２の実施の形態における複合機を説明するブロック図、図１０は本発明の第２の実施の形態におけるカード読取装置を説明するブロック図、図１１は本発明の第２の実施の形態における電源切替部を説明するブロック図である。
【００４３】
この場合、カード読取装置７１は、カードｃｄを載置するために、図示されないカード置き台を備える。該カード置き台は、第１の実施の形態におけるカバー１２（図１参照。）とは異なり、カード読取装置７１の筐体等によって形成され、カード読取装置７１の本体に対して固定される。
【００４４】
そして、前記カード読取装置７１は、データ読取部３２、通信部３３、電力供給部７２、カードｃｄがカバー１２に載置されたことを検出するためのカード検出要素としてのスイッチ７５、外部装置としてのプリンタ４１との間を接続する配線（電源線）８１の状態、スイッチ７５及び制御回路５３の状態によって、電力供給部７２から供給された電力と、プリンタ４１から供給された電力とを切り換える電源切替部７３、並びにデータ読取部３２によって読み取られた読取データを記録する記憶装置としての不揮発性メモリ７７を備える。前記電力供給部７２によって第１の電源装置が、電源切替部７３によって第２の電源装置が構成される。電力供給部７２及び電源切替部７３は、操作者が前記カード置き台にカードｃｄを載置するのに伴って、前記データ読取部３２に電力を供給する。
【００４５】
なお、前記スイッチ７５は、機械的に作動させられ、カード置き台にカードｃｄが載置されるとオンにされ、カードｃｄを検出したことを表す信号を電源切替部７３に送信する。また、前記スイッチ７５は、カバー１２からカードｃｄが除去されるとオフにされる。
【００４６】
前記データ読取部３２は、カードｃｄからデータを読取データとして読み取ると、該読取データを、配線（信号線）８３を介して不揮発性メモリ７７に記録し、記録が終了すると、読取データの読取り及び読取データの記録が終了した旨を、配線（信号線）８５を介して通信部３３及び電源切替部７３に通知する。前記通信部３３は、読取データの読取り及び読取データの記録が終了した旨の通知を受けると、配線（電源制御線）８２を介してプリンタ４１に電源をオンに（投入）するための指示、すなわち、電源投入指示を送る。
【００４７】
前記プリンタ４１において、前記電源部４４は、電源投入指示を受けると、プリンタ４１の電源をオンにし、配線（電源線）８１を介して、カード読取装置７１に電力を供給する。
【００４８】
なお、８４は、通信部３３が不揮発性メモリ７７に記録された読取データを読み出すための配線（信号線）である。プリンタ４１の電源がオンにされた後、通信制御回路４３は、カード読取装置７１において、通信部３３によって読み出された読取データを配線４８を介して受信する。また、８６は、電源切替部７３から通信部３３、データ読取部３２及び不揮発性メモリ７７に電力を供給するための配線（電源線）である。
【００４９】
前記カード読取装置７１において、制御回路５３は、配線８３、８５の制御を行う。また、電力供給部７２は、充放電制御回路９１及び電池としての、かつ、充放電要素としての二次電池９２から成り、前記充放電制御回路９１は、電源切替部７３から電力を供給されて二次電池９２を充電したり、二次電池９２を放電させて電源切替部７３に電力を供給したりして、二次電池９２の充放電を制御する。すなわち、前記充放電制御回路９１は、二次電池９２の充放電の際の電圧及び電流を監視し、制御を行ったり、充電と放電との切替えを行ったり、過充電及び過放電を防止したりする。
【００５０】
また、電源切替部７３において、９５は、プリンタ４１から供給された電力、又は電力供給部７２から供給された電力を、配線８６に出力するかどうかを選択するためのリレー、９６はリレー制御回路であり、該リレー制御回路９６は、タイマ回路９７からの制御信号及びプリンタ４１からの電力の供給状態によって、リレー９５をオン・オフさせる。
【００５１】
すなわち、前記リレー制御回路９６は、プリンタ４１からの電力が供給されている場合、リレー９５をオンにし、短絡させ、プリンタ４１からの電力が供給されていない場合、タイマ回路９７からの指示に従って、リレー９５をオンにし、短絡させたり、オフにし、開放したりする。
【００５２】
前記タイマ回路９７は、スイッチ７５がオンになると、リレー制御回路９６をオンにするとともに、タイマ回路９７に内蔵された図示されないタイマによる計時を開始し、所定の時間が経過して計時が終了（タイムアウト）すると、リレー制御回路９６をオフにする。また、制御回路５３からの通知に従って、カード読取終了検出回路９８が、カード読取装置７１によるカードｃｄの読取りが終了したことを検出し、検出信号をタイマ回路９７に送信した場合も、タイマ回路９７はリレー制御回路９６をオフにする。
【００５３】
そして、リレー９５がオンになると、プリンタ４１から供給された電力、又は電力供給部７２から供給された電力が配線８６に出力され、通信部３３、不揮発性メモリ７７及びデータ読取部３２に供給され、リレー９５がオフになると、プリンタ４１から供給された電力、又は電力供給部７２から供給された電力の配線８６への出力が停止させられる。
【００５４】
次に、前記構成の複合機の動作について説明する。
【００５５】
図１２は本発明の第２の実施の形態における複合機の動作を示すタイムチャートである。
【００５６】
まず、タイミングＴ０において、プリンタ４１の電源はオフに（遮断）されていて、このとき、電力供給部７２において、充放電制御回路９１は、二次電池９２を放電させることによって、二次電池９２の電力を電源切替部７３に供給し、該電源切替部７３は、電力供給部７２から電力を供給されるが、リレー９５はオフにされているので、電力の出力はしない。また、電源切替部７３にはダイオード９９が配設されているので、電力供給部７２から供給された電力が配線８１を介してプリンタ４１に供給されることはない。
【００５７】
次に、タイミングＴ１において、カード置き台にカードｃｄが載置され、スイッチ７５がオンにされると、電源切替部７３がオンになり、該電源切替部７３において、タイマ回路９７が、前記タイマによる計時を開始するとともに、リレー制御回路９６をオンにする。そして、該リレー制御回路９６は、リレー９５をオンにし、電力供給部７２から供給された電力を、配線８６に出力し、データ読取部３２に供給する。その後、カード置き台からカードｃｄが除去されると、スイッチ７５はオフになるが、タイマによる計時は継続される。
【００５８】
前記データ読取部３２において、電源切替部７３から電力が供給されると、制御回路５３は、送受信回路５２に対してデータを読み取るように指示を出し、送受信回路５２は、アンテナ５１を介してカードｃｄのデータを読み取り、制御回路５３に送る。該制御回路５３は、読取データを不揮発性メモリ７７に記録する。
【００５９】
次に、タイミングＴ２において、制御回路５３は、配線８５を介して通信部３３及び電源切替部７３に、カードｃｄの読取り及び不揮発性メモリ７７への書込みが終了した旨を通知する。通信部３３は、カードｃｄの読取り及び不揮発性メモリ７７への書込みが終了した旨の通知を受けると、プリンタ４１に配線８２を介して電源を投入するための指示を送信し、電源切替部７３において、カード読取終了検出回路９８は、タイマ回路９７にタイマクリア信号を送信する。タイマ回路９７は、タイマクリア信号を受信すると、通信部３３が電源を投入するための指示を送るのに必要な時間が経過した後、タイマによる計時を停止させ、計時された時間をクリアし、リレー制御回路９６をオフにする。その結果、リレー９５はオフになり、送受信回路５２、制御回路５３及び不揮発性メモリ７７への電力の供給が停止させられる。
【００６０】
次に、タイミングＴ３において、プリンタ４１からの電力の供給が開始されると、リレー制御回路９６は、リレー９５をオンにし、プリンタ４１から供給された電力を送受信回路５２、制御回路５３及び不揮発性メモリ７７に供給する。前記プリンタ４１の電力は、電力供給部７２に供給され、該電力供給部７２において、充放電制御回路９１は二次電池９２への充電を行う。
【００６１】
前記プリンタ４１は、配線４８を介して不揮発性メモリ７７内の読取データを受信し、該読取データに基づいて印刷を行う。
【００６２】
このように、操作者がカバー１２にカードｃｄを載置するのに伴って、電力供給部７２から電力がデータ読取部３２に供給されるので、カードｃｄを検出するために電源を常時オンにしておく必要がない。したがって、カードｃｄに記録されたデータを読み取るために必要になる消費電力を少なくすることができる。また、カードｃｄからのデータの読取り、及び不揮発性メモリ７７へ読取データの書込みが終了すると、カード読取装置７１への電力の供給が停止されるようになっているので、消費電力を一層少なくすることができる。また、その間、プリンタ４１の電源をオフにしておくことができるので、消費される電力を更に少なくすることができる。
【００６３】
本実施の形態においては、プリンタ４１の電源部４４からカード読取装置７１に電力が供給されるようになっているが、ＵＳＢの電源部からカード読取装置７１に電力を供給することもできる。
【００６４】
また、前記各実施の形態においては、カード読取装置１１、７１とプリンタ４１とを接続した複合機について説明しているが、カードの読取りが必要なパーソナルコンピュータとカード読取装置１１、７１とを接続することができる。
【００６５】
なお、本発明は前記各実施の形態に限定されるものではなく、本発明の趣旨に基づいて種々変形させることが可能であり、それらを本発明の範囲から排除するものではない。
【図面の簡単な説明】
【００６６】
【図１】本発明の第１の実施の形態におけるカード読取装置の断面図である。
【図２】本発明の第１の実施の形態におけるカード読取装置の外観図である。
【図３】本発明の第１の実施の形態におけるギヤユニットの概念図である。
【図４】本発明の第１の実施の形態におけるカード読取装置の動作を示す第１の図である。
【図５】本発明の第１の実施の形態におけるカード読取装置の動作を示す第２の図である。
【図６】本発明の第１の実施の形態におけるカード読取装置の動作を示す第３の図である。
【図７】本発明の第１の実施の形態における複合機を説明するブロック図である。
【図８】本発明の第１の実施の形態におけるカード読取装置を説明するブロック図である。
【図９】本発明の第２の実施の形態における複合機を説明するブロック図である。
【図１０】本発明の第２の実施の形態におけるカード読取装置を説明するブロック図である。
【図１１】本発明の第２の実施の形態における電源切替部を説明するブロック図である。
【図１２】本発明の第２の実施の形態における複合機の動作を示すタイムチャートである。
【符号の説明】
【００６７】
１１、７１    カード読取装置
１２    カバー
３１    電力発生部
３２    データ読取装置
７２    電力供給部
７３    電源切替部
ｃｄ    カード
【図１】
0005301888.tif 000002
【図２】
0005301888.tif 000003
【図３】
0005301888.tif 000004
【図４】
0005301888.tif 000005
【図５】
0005301888.tif 000006
【図６】
0005301888.tif 000007
【図７】
0005301888.tif 000008
【図８】
0005301888.tif 000009
【図９】
0005301888.tif 000010
【図１０】
0005301888.tif 000011
【図１１】
0005301888.tif 000012
【図１２】
0005301888.tif 000013